(57)【要約】【課題】上昇移動作業を迅速に行うことができる外壁登攀装置を提供する。【解決手段】建築物の躯体外側部１２ａ〜１２ｄに締結される締結具１３は、躯体外側部に配置されるクランプ台１４と、これに摺動自在に装着される移動クランプ具１７とを有している。移動クランプ具１７に設けられたパイプクランプ１８には、相互に平行となって連結されるとともにパイプクランプ１８に着脱自在に締結される複数の摺動パイプ２１を有する登攀ユニット２０が締結される。登攀ユニット２０には足場板支持梁２４が取り付けられるとともに、足場板支持梁２４には足場板２５が装着される。パイプクランプ１８を外した状態のもとで移動クランプ具１７を建築物の内方に向けて退避移動させて足場ユニット３０と登攀ユニット２０とが上層階に上昇移動する。【選択図】    図２
2004332498.tif 000002
【特許請求の範囲】
【請求項１】
建築物の躯体外側部に締結されるクランプ台、および前記クランプ台に移動自在に装着されるとともにパイプクランプが設けられた移動クランプ具を備え、前記躯体外側部に着脱自在に締結される締結具と、
相互に平行となって連結されるとともに前記パイプクランプに着脱自在に締結される複数の摺動パイプを有する登攀ユニットと、
それぞれの前記登攀ユニットに取り付けられる足場板支持梁と、
相互に隣り合う前記足場板支持梁に着脱自在に装着され、前記足場板支持梁とともに足場ユニットを構成する足場板とを有し、
前記パイプクランプによる前記摺動パイプの締結を解除した状態のもとで前記移動クランプ具を建築物の内方に向けて退避移動させて前記足場ユニットと前記登攀ユニットとを上層階に上昇移動させることを特徴とする外壁登攀装置。
【請求項２】
請求項１記載の外壁登攀装置において、前記摺動パイプに係合して前記摺動パイプを摺動自在に支持する位置と、前記摺動パイプとの係合を解いて前記摺動パイプを取り外す位置とに回転自在の回転式ガイドプレートを前記締結具に設けたことを特徴とする外壁登攀装置。
【請求項３】
請求項１または２記載の外壁登攀装置において、前記足場ユニットはそれぞれの前記摺動パイプに固定されるとともに、前記足場板支持梁が取り付けられる垂直支柱を有することを特徴とする外壁登攀装置。
【請求項４】
請求項１〜３のいずれか１項に記載の外壁登攀装置において、前記足場ユニットはそれぞれの前記摺動パイプに固定される垂直支柱と、前記足場板支持梁を介して前記垂直支柱に固定される外側支柱とを有することを特徴とする外壁登攀装置。
【請求項５】
請求項１〜４のいずれか１項に記載の外壁登攀装置において、相互に隣り合う前記移動クランプ具に足場板を装着することを特徴とする外壁登攀装置。
【請求項６】
建築物の躯体外側部に締結されるクランプ台、および前記クランプ台に移動自在に装着されるとともにパイプクランプが設けられた移動クランプ具を備え、前記躯体外側部に着脱自在に締結される締結具と、
相互に平行となって連結されるとともに前記パイプクランプに着脱自在に締結される複数の摺動パイプを有する登攀ユニットと、
前記登攀ユニットに装着される安全ネットやカバーシートなどの覆い部材とを有し、
前記パイプクランプによる前記摺動パイプの締結を解除した状態のもとで前記移動クランプ具を建築物の内方に向けて退避移動させて前記覆い部材と前記登攀ユニットとを上層階に上昇移動させることを特徴とする外壁登攀装置。
【発明の詳細な説明】
【０００１】
【発明の属する技術分野】
本発明は建築物を建造する際に建造中の建築物の外側に配置される足場ユニットや安全ネットなどの覆い部材を建築物の外壁に沿って上昇移動させる外壁登攀装置に関する。
【０００２】
【従来の技術】
中層ないし高層の建築物を建造する場合には、地上から足場を組み上げていくことは困難であることから、建築物の外側に配置される足場ユニットを建築物の建築作業の進行に伴って上層階側に移動させるようにした技術が開発されている。作業者は足場ユニットに設けられた足場板の上で外面塗装作業などの種々の建築作業を行う。この足場ユニットは、所定階数、たとえば、３階あるいは４階程度の階数に対応する高さとなって建築物の外側に配置され、足場ユニットを使用して所定の作業が終了するとともに、上層側の部分の建築が進むに従って足場ユニットはクレーンやホイストなどの起重機によって上方に登攀移動される。
【０００３】
【発明が解決しようとする課題】
このようなタイプの足場ユニットは、建築現場まで分解した状態でトラック輸送ができるとともに、建築現場において容易に組立てることができることが好ましく、さらに、上方に登攀移動させる際には迅速に建築物の躯体部から取り外してクレーンなどにより迅速に移動し得ることが好ましい。
【０００４】
しかしながら、これまで開発された登攀式の作業ユニットは、所定の作業が終了した後に上昇移動させる登攀移動つまり盛替作業に時間がかかるという問題点がある。
【０００５】
本発明の目的は、上昇移動作業を迅速に行うことができる外壁登攀装置を提供することにある。
【０００６】
【課題を解決するための手段】
本発明の外壁登攀装置は、建築物の躯体外側部に締結されるクランプ台、および前記クランプ台に移動自在に装着されるとともにパイプクランプが設けられた移動クランプ具を備え、前記躯体外側部に着脱自在に締結される締結具と、相互に平行となって連結されるとともに前記パイプクランプに着脱自在に締結される複数の摺動パイプを有する登攀ユニットと、それぞれの前記登攀ユニットに取り付けられる足場板支持梁と、相互に隣り合う前記足場板支持梁に着脱自在に装着され、前記足場板支持梁とともに足場ユニットを構成する足場板とを有し、前記パイプクランプによる前記摺動パイプの締結を解除した状態のもとで前記移動クランプ具を建築物の内方に向けて退避移動させて前記足場ユニットと前記登攀ユニットとを上層階に上昇移動させることを特徴とする。
【０００７】
本発明の外壁登攀装置は、前記摺動パイプに係合して前記摺動パイプを摺動自在に支持する位置と、前記摺動パイプとの係合を解いて前記摺動パイプを取り外す位置とに回転自在の回転式ガイドプレートを前記締結具に設けたことを特徴とする。
【０００８】
本発明の外壁登攀装置は、前記足場ユニットはそれぞれの前記摺動パイプに固定されるとともに、前記足場板支持梁が取り付けられる垂直支柱を有することを特徴とする。
【０００９】
本発明の外壁登攀装置は、前記足場ユニットはそれぞれの前記摺動パイプに固定される垂直支柱と、前記足場板支持梁を介して前記垂直支柱に固定される外側支柱とを有することを特徴とする。
【００１０】
本発明の外壁登攀装置は、相互に隣り合う前記移動クランプ具に足場板を装着することを特徴とする。
【００１１】
本発明の外壁登攀装置は、建築物の躯体外側部に締結されるクランプ台、および前記クランプ台に移動自在に装着されるとともにパイプクランプが設けられた移動クランプ具を備え、前記躯体外側部に着脱自在に締結される締結具と、相互に平行となって連結されるとともに前記パイプクランプに着脱自在に締結される複数の摺動パイプを有する登攀ユニットと、前記登攀ユニットに装着される安全ネットやカバーシートなどの覆い部材とを有し、前記パイプクランプによる前記摺動パイプの締結を解除した状態のもとで前記移動クランプ具を建築物の内方に向けて退避移動させて前記覆い部材と前記登攀ユニットとを上層階に上昇移動させることを特徴とする。
【００１２】
本発明にあっては、複数本の摺動パイプを連結することによって登攀ユニットが形成され、建築物の躯体部に締結される締結具には、登攀ユニットの摺動パイプを締結するパイプクランプが設けられているので、パイプクランプを緩めることにより登攀ユニットを上昇移動させることができる。また、締結具は建築物の躯体部に締結されるクランプ台を有しており、このクランプ台に沿って移動する移動クランプ具にパイプクランプが設けられているので、登攀ユニットを上昇移動させる際には移動クランプ具を退避移動させることにより円滑に登攀ユニットを移動させることができる。このようにして、登攀ユニットの上昇移動を迅速に行うことができる。
【００１３】
登攀ユニットに足場ユニットを設けることにより、登攀ユニットを用いて作業者が足場板の上で作業を行うことができる。また、安全ネットやカバーシートなどの覆い部材を登攀ユニットに設けることによって建築時に物が外方に落下したり、溶接の火花が落下することを防止できる。
【００１４】
【発明の実施の形態】
以下、本発明の実施の形態を図面に基づいて詳細に説明する。図１は建築物に取り付けられた状態の外壁登攀装置の一実施の形態を示す斜視図であり、図２は図１のＡ−Ａ線に沿う断面図である。
【００１５】
図２は建築中の建築物１０の各階を構成する躯体部１１ａ〜１１ｅが示されている。たとえば、躯体部１１ａが５階の部分であれば、躯体部１１ｅは９階の部分となり、それぞれの躯体部１１ａ〜１１ｅには躯体外側部１２ａ〜１２ｅが床面よりも上方に突出して設けられており、躯体外側部１２ａ〜１２ｅの外面は建築物１０の外壁を構成することになる。
【００１６】
それぞれの躯体部１１ａ〜１１ｅには、締結具１３が着脱自在に締結されるようになっており、締結具１３は躯体外側部１２ａ〜１２ｅの上面に配置される棒状のクランプ台１４を有し、このクランプ台１４の一端部には躯体外側部１２ａ〜１２ｅの外面側に配置されるスペーサ１５が固定されており、このスペーサ１５とにより締結具１３を躯体部１１ａ〜１１ｅに締結するためのねじ部材１６がクランプ台１４に装着されている。したがって、ねじ部材１６を緩めると締結具１３は躯体部から取り外すことができ、締め付けると躯体部に締結具１３は締結されることになる。締結された状態では、図示するように、クランプ台１４は建築物の外壁面に直角方向となるように水平に配置される。
【００１７】
クランプ台１４には四辺形枠形状の移動クランプ具１７が摺動自在に装着されており、移動クランプ具１７の端部にはパイプクランプ１８が２つずつ設けられている。図２に示されるように、４階分の躯体部１１ａ〜１１ｄに締結されて上下方向に一直線状となった４つの締結具１３には、４階分に対応する長さの摺動パイプ２１がパイプクランプ１８により着脱自在に締結されるようになっている。摺動パイプ２１は鋼製の丸パイプにより形成されており、図１に示す場合では、相互に平行となった５本の摺動パイプ２１により１つの登攀ユニット２０が形成され、それぞれの摺動パイプ２１は締結具１３により躯体部に締結されている。ただし、それぞれの摺動パイプ２１の長さは３階分の長さとしても良く、あるいは５階分の長さとしても良く、任意の長さとすることができる。また、１つの登攀ユニット２０を構成する摺動パイプ２１の本数も５本に限られず、任意の本数とすることができる。
【００１８】
それぞれの摺動パイプ２１には連結金具２２によって垂直支柱２３が摺動パイプ２１に平行となって固定されており、垂直支柱２３は摺動パイプ２１と同様に丸パイプにより形成されている。ただし、垂直支柱２３を角パイプにより形成するようにしても良い。
【００１９】
摺動パイプ２１には上下方向に所定の間隔毎に足場板支持梁２４が着脱自在に装着されており、図１に示すように、それぞれの摺動パイプ２１が躯体に締結具１３により固定された状態のもとで相互に隣り合う足場板支持梁２４には足場板２５が着脱自在に装着されるようになっている。図１および図２に示すように、足場板支持梁２４には手摺り２６が取り付けられるようになっている。
【００２０】
それぞれの締結具１３のスペーサ１５の前面には回転式ガイドプレート２７が回転自在に装着されており、この回転式ガイドプレート２７は摺動パイプ２１の外径よりも大きな切り欠き部２８を介して両端部に設けられた２つの係合片２９ａ，２９ｂを有している。したがって、この回転式ガイドプレート２７を垂直方向に回転させるとそれぞれの係合片２９ａ，２９ｂが摺動パイプ２１に係合する位置となり、９０度回転させて水平方向に設定するとそれぞれの係合片２９ａ，２９ｂと摺動パイプ２１との係合が解かれて摺動パイプ２１を締結具１３から取り外すことができる。
【００２１】
したがって、上述した外壁登攀装置を組み立てて建築作業を行う場合には、複数本、たとえば図１に示す場合には５本の摺動パイプ２１を相互に平行に図示しない水平連結棒材により連結する。それぞれの摺動パイプ２１には予め連結金具２２により垂直支柱２３が固定されており、複数本の摺動パイプ２１を水平連結棒材により連結して一体化することにより登攀ユニット２０が組み立てられる。ただし、垂直支柱２３を水平連結棒材により連結するようにしても良い。
【００２２】
次いで、摺動パイプ２１に固定された垂直支柱２３に足場板支持梁２４を装着し、足場板支持梁２４の間に足場板２５を装着する。このようにして登攀ユニット２０に足場ユニット３０が組み付けられ、足場ユニット３０が組み付けられた登攀ユニット２０をクレーンやホイストなどの上昇手段を用いて吊り上げて、建築物１０の躯体部に取り付けることになる。
【００２３】
図３はこのようにクレーンなどに設けられたワイヤ４０により登攀ユニット２０を持ち上げながら、建築物１０に接近移動させている状態を示す図である。図３に示すように、建築物１０の躯体部１１ａ〜１１ｄには予め締結具１３が取り付けられており、移動クランプ具１７は建築物１０の内方に向けて図３に示すように退避移動し、回転式ガイドプレート２７は水平方向となって係合片２９ａ，２９ｂが摺動パイプ２１に係合しない状態となっている。なお、図２に示す場合には締結具１３は５本全ての摺動パイプ２１に対応させて各階の躯体部１１ａ〜１１ｄに取り付けられており、図示する外壁登攀装置には２０個の締結具１３が使用されることになるが、何れかの締結具１３を省略して２０個以下の締結具１３により登攀ユニット２０を建築物１０に締結するようにしても良い。たとえば、図２において躯体部１１ｂ，１１ｄのみに締結具１３を装着するようにし、躯体部１１ａ，１１ｃに締結具１３を装着しないようにし、１階置きに締結具１３を装着するようにしても良い。
【００２４】
登攀ユニット２０を建築物１０に取り付けるには、図３に示す状態から登攀ユニット２０を建築物１０に接近移動させて摺動パイプ２１を回転式ガイドプレート２７に接触させる。このときには、切り欠き部２８から両方の係合片２９ａ，２９ｂの間にそれぞれの摺動パイプ２１を入り込ませることになる。係合片２９ａ，２９ｂの間に摺動パイプ２１が入り込んだ状態のもとで、回転式ガイドプレート２７を９０度回転させて係合片２９ａ，２９ｂを摺動パイプ２１に係合させる。さらに、移動クランプ具１７を摺動パイプ２１に向けて接近移動させ、パイプクランプ１８を摺動パイプ２１に締結する。
【００２５】
このようにして外壁登攀装置が組み立てられた状態を示すと、図２の通りであり、この状態のもとで作業者が足場板２５の上に乗って建築作業を行うことができる。図２に示された躯体部１１ａを有する階の作業が終了し、さらに躯体部１１ｅが建築された後には、躯体部１１ｅに締結具１３を図２に示すように締結した後に、登攀ユニット２０を１階分だけ上昇移動させることになる。
【００２６】
図４は登攀ユニット２０を１階分上昇移動させる作業を行っている状態を示す断面図である。上側の階の躯体部１１ｅに予め締結具１３を締結した後に、登攀ユニット２０にクレーンなどを引っ掛けた状態のともでパイプクランプ１８を外して移動クランプ具１７を建築物１０の内方に向けて摺動する。このときには、回転式ガイドプレート２７は垂直方向を向いたままとして、係合片２９ａ，２９ｂが摺動パイプ２１に対して係合した状態のままとする。この状態のもとで登攀ユニット２０を１階分上昇移動させると、摺動パイプ２１は係合片２９ａ，２９ｂに案内されながら上昇移動することになり、上昇移動終了後に躯体部１１ｂ〜１１ｅに締結された締結具１３のパイプクランプ１８を摺動パイプ２１に締結する。
【００２７】
図５は、このようにして、登攀ユニット２０が１回分上昇移動した状態を示す断面図である。図５は１階分上昇した状態を示すが、一度に２階分や３階分あるいは４階分など任意の階数分だけ登攀ユニット２０を上昇移動させるようにしても良い。その場合には、上昇させる階数分の躯体部にそれぞれ締結具１３を予め取り付けておくことになる。
【００２８】
図６は締結具１３を拡大して示す斜視図であり、クランプ台１４は角パイプにより形成されており、スペーサ１５はクランプ台１４の先端部を短辺とする長方形となっており、スペーサ１５も角パイプにより形成されている。スペーサ１５に回転式ガイドプレート２７を回転自在に取り付けるために、ガイドプレート２７の中央部に固定された支持ピン３１がスペーサ１５に支持されており、ガイドプレート２７は支持ピン３１に支持されて９０度回転することができる。ガイドプレート２７の両端部には逆向きとなって係合片２９ａ，２９ｂが設けられており、図６に示すように、回転式ガイドプレート２７が垂直方向を向いた状態では、摺動パイプ２１が係合片２９ａ，２９ｂに係合する。一方、図６において二点鎖線で示すように回転式ガイドプレート２７を水平状態にすると、係合片２９ａ，２９ｂから摺動パイプ２１は外れることになる。
【００２９】
移動クランプ具１７はクランプ台１４に沿って摺動する下側枠片３２と、これの先端部に設けられてパイプクランプ１８が取り付けられた垂直枠片３３とを有し、これらは角パイプにより形成されている。下側枠片３２の後端部には垂直枠片３４が固定され、この垂直枠片３４と垂直枠片３３との間には上側枠片３５が固定されており、垂直枠片３４と上側枠片３５はそれぞれ丸パイプにより形成されている。このように、移動クランプ具１７の上側枠片３５が丸パイプにより形成されているので、この上側枠片３５に足場板２５を取り付けることができる。図２には、躯体部１１ａに締結された締結具１３の移動クランプ具１７の上側枠片３５に足場板２５が取り付けられた状態が二点鎖線により示されている。移動クランプ具１７に足場板２５を取り付けることにより、建築物１０の内部で作業者が足場板２５の上で作業を行うこともできる。
【００３０】
移動クランプ具１７をクランプ台１４に沿って往復動させるために、クランプ台１４に固定された支持ブラケット３６，３７にはガイドピン３８，３９が固定されている。したがって、移動クランプ具１７の前進限位置は、ガイドピン３９に垂直枠片３４が当接することにより規制され、後退限位置はガイドピン３８に垂直枠片３３が当接することにより規制される。
【００３１】
ねじ部材１６を回転自在に支持するために、クランプ台１４には支持ブロック４１が固定され、この支持ブロック４１にねじ部材１６が回転自在にねじ結合され、ねじ部材１６の先端には躯体外側部に当接するストッパ４２が設けられている。したがって、躯体外側部をスペーサ１５とストッパ４２により挟み込んだ状態のもとでねじ部材１６を回転することにより、締結具１３は躯体外側部に締結されることになる。
【００３２】
移動クランプ具１７に設けられた２つのパイプクランプ１８は、図６に示されるように、ピン４３を中心に開閉自在となったクランプ片を有し、クランプ片をねじ止めすることにより、摺動パイプ２１にパイプクランプ１８は締結され、移動クランプ具１７が摺動パイプ２１に締結される。移動クランプ具１７が図６に示されように、前進限位置となった状態のもとで移動クランプ具１７をクランプ台１４に固定するために、支持ブラケット３６には下側枠片３２を貫通するねじ部材４４がねじ結合されるようになっている。ただし、移動クランプ具１７のクランプ台１４に対する固定を、他の部分に設けられるねじ部材によって行うようにしても良い。また、移動クランプ具１７がガタのないようにクランプ台１４に沿って摺動するようにガイド部材を設ければ、移動クランプ具１７をねじ部材によりクランプ台１４に固定することは不要となる。
【００３３】
図７は他の実施の形態である外壁登攀装置を示す断面図であり、図７に示される足場ユニット３０は、複数の足場板支持台４５により形成されており、それぞれの足場板支持台４５は垂直支柱２３にクランプ部材４６により締結される内側支柱４７と、これと平行となり足場板支持梁４８により連結される外側支柱４９とを有している。図７に示す場合には、足場板支持台４５を４段積み重ねることにより足場ユニット３０が構成されており、垂直支柱２３の最下部には上方の４段の足場板支持台４５を支持するための台座５０が固定されている。
【００３４】
相互に水平方向に隣り合う足場板支持梁４８には足場板２５が装着されることになり、また、１つの足場板支持台４５における隣り合う内側支柱４７相互間と外側支柱４９の相互間には筋交いが取り付けられることになる。また、外側支柱４９には作業者の安全を保つために、図示しない手摺りを取り付けるようにしても良い。
【００３５】
図８は更に他の実施の形態である外壁登攀装置を示す断面図であり、この足場ユニット３０は公知の外部枠組足場５１を上下方向に積層することによって形成されている。この場合には、外部枠組足場５１はそれぞれの内側の支柱５２を連結金具２２に設けられたクランプ５３により摺動パイプ２１に取り付けるようにしている。足場ユニット３０としてはこのようなタイプとすることもできる。このように外部枠組足場５１を用いて足場ユニット３０を組み立てる場合でも、図７に示すように、摺動パイプ２１に連結金具２２により固定された垂直支柱２３にそれぞれの外部枠組足場５１の内側の支柱５２をクランプ部材により締結するようにしても良い。
【００３６】
図９は更に他の実施の形態である外壁登攀装置を示す断面図であり、この場合には足場ユニット３０が登攀ユニット２０に取り付けられておらず、垂直支柱２３には安全ネット５５が覆い部材として装着されている。したがって、この場合には安全ネット５５を登攀ユニット２０により上層階側に上昇移動させることができる。安全ネット５５を垂直支柱２３に装着することにより、建築物の外壁は安全ネット５５により覆われることになるので、建築作業中に作業者が工具などを落としても、それが建築物の外方に落下することが防止される。この安全ネット５７に代えて防護シートを垂直支柱２３に覆い部材として装着するようにしても良く、その場合には建築作業中における溶接火花などが建築物の外方に飛散することが防止される。
【００３７】
なお、図１〜図８に示すように足場ユニット３０を登攀ユニット２０に装着する場合においても、安全ネットや防護シートなどの覆い部材を足場ユニット３０の外側に装着するようにしても良い。
【００３８】
本発明は前記実施の形態に限定されるものではなく、その要旨を逸脱しない範囲で種々変更可能である。図６に示す締結具１３は移動クランプ具１７がクランプ台１４に摺動自在となっているが、登攀ユニット２０を上昇移動させる際に移動クランプ具１７が建築物に向けて退避移動する構造であれば、移動クランプ具１７を回転させて退避移動させるようにしても良い。
【００３９】
【発明の効果】
本発明によれば、建築物に締結される締結具には複数本の摺動パイプを有する登攀ユニットが取り付けられるようになっており、登攀ユニットには安全ネットなどの覆い部材や足場ユニットが装着される。締結具は建築物の躯体部に締結されるクランプ台とこれに摺動自在の移動クランプ具とを有し、登攀ユニットを上昇移動させるときには、移動クランプ具に設けられたパイプクランプを緩めて移動クランプ具を建築物の内方に向けて移動させることになる。このように登攀ユニットを上昇移動させる際には移動クランプ具を退避移動させることにより円滑に登攀ユニットを移動させることができ、登攀ユニットの上昇移動を迅速に行うことができる。
【図面の簡単な説明】
【図１】建築物に取り付けられた状態の外壁登攀装置の一実施の形態を示す斜視図である。
【図２】図１のＡ−Ａ線に沿う断面図である。
【図３】登攀ユニットを建築物に取り付けている状態を示す断面図である。
【図４】登攀ユニットを上昇移動させている状態を示す断面図である。
【図５】登攀ユニットの上昇移動を完了した状態を示す断面図である。
【図６】締結具を示す拡大斜視図である。
【図７】他の実施の形態である外壁登攀装置を示す断面図である。
【図８】他の実施の形態である外壁登攀装置を示す断面図である。
【図９】他の実施の形態である外壁登攀装置を示す断面図である。
【符号の説明】
１０      建築物
１１ａ〜１１ｅ    躯体部
１２ａ〜１２ｅ    躯体外側部
１３      締結具
１４      クランプ台
１５      スペーサ
１６      ねじ部材
１７      移動クランプ具
１８      パイプクランプ
２０      登攀ユニット
２１      摺動パイプ
２２      連結金具
２３      垂直支柱
２４      足場板支持梁
２５      足場板
２６      手摺り
２７      回転式ガイドプレート
２９ａ，２９ｂ    係合片
３０      足場ユニット
３１      支持ピン
３２      下側枠片
３３      垂直枠片
３４      垂直枠片
３５      上側枠片
３６，３７      支持ブラケット
３８，３９      ガイドピン
４１      支持ブロック
４２      ストッパ
４３      ピン
４４      ねじ部材
４５      足場板支持台
４６      クランプ部材
４７      内側支柱
４８      足場板支持梁
４９      外側支柱
５０      台座
５１      外部枠組足場
５２      支柱
５３      クランプ
５５      安全ネット
【図１】
2004332498.tif 000003
【図２】
2004332498.tif 000004
【図３】
2004332498.tif 000005
【図４】
2004332498.tif 000006
【図５】
2004332498.tif 000007
【図６】
2004332498.tif 000008
【図７】
2004332498.tif 000009
【図８】
2004332498.tif 000010
【図９】
2004332498.tif 000011